(57)【要約】【課題】視聴者の映像コンテンツの視聴を妨げないようにすることが可能な投写型映像表示装置を提供する。【解決手段】プロジェクタ１は、映像を表示するための光学部品を収納する筐体１０と、筐体１０の内部へ流入しようとする塵埃を捕捉するエアフィルタ３２と、エアフィルタ３２を掃除するフィルタ掃除機構４とを備えている。そして、プロジェクタ１は、フィルタ掃除機構４を制御する制御部５３を備え、制御部５３が、人の存在を検出する人感センサ６１により出力された検出結果に基づいて、フィルタ掃除機構４を制御する。【選択図】図３
2013007973.tif 000002
【特許請求の範囲】
【請求項１】
映像を表示するための光学部品を収納する筐体と、この筐体の内部へ流入しようとする塵埃を捕捉するエアフィルタと、このエアフィルタを掃除するフィルタ掃除機構とを備えた投写型映像表示装置であって、
前記フィルタ掃除機構を制御する制御部を備え、
前記制御部が、人の存在を検出する人感センサにより出力された検出結果に基づいて、前記フィルタ掃除機構を制御する
ことを特徴とする投写型映像表示装置。
【請求項２】
前記筐体に前記人感センサを内蔵している
ことを特徴とする請求項１に記載の投写型映像表示装置。
【請求項３】
前記制御部は、前記人感センサにより人の存在を検出したときに、前記フィルタ掃除機構による前記エアフィルタの掃除を禁止する
ことを特徴とする請求項１または２に記載の投写型映像表示装置。
【請求項４】
前記エアフィルタの目詰まりを検出する目詰まり検出部を備え、
前記制御部は、前記目詰まり検出部により前記エアフィルタの目詰まりを検出したとき、かつ、前記人感センサにより人の存在を検出したときに、前記フィルタ掃除機構による前記エアフィルタの掃除を一定時間禁止する
ことを特徴とする請求項３に記載の投写型映像表示装置。
【請求項５】
前記人感センサにより人の存在を検出していないときの前記フィルタ掃除機構による前記エアフィルタの掃除態様を通常掃除モードとし、前記フィルタ掃除機構が前記通常掃除モードに比べて静かに前記エアフィルタを掃除する掃除態様を静音掃除モードとしたとき、
前記制御部は、前記人感センサにより人の存在を検出したときに、前記静音掃除モードで前記フィルタ掃除機構に前記エアフィルタを掃除させる
ことを特徴とする請求項１または２に記載の投写型映像表示装置。
【発明の詳細な説明】
【技術分野】
【０００１】
本発明は、映像を表示するための光学部品を収納する筐体と、筐体の内部へ流入しようとする塵埃を捕捉するエアフィルタと、このエアフィルタを掃除するフィルタ掃除機構とを備えた投写型映像表示装置に関する。
【背景技術】
【０００２】
一般的に、液晶プロジェクタ等の投写型映像表示装置は、筐体の外部から内部に空気を取り込んで、空冷により高温となる光学部品及び電子部品を冷却する。また、空気中の塵埃が筐体の内部に流入しないために、筐体の内部に流入しようとする塵埃をエアフィルタにより捕捉することが一般的に知られている。
【０００３】
また、エアフィルタを備える投写型映像表示装置において、エアフィルタの目詰まりを解消するために、エアフィルタを掃除するフィルタ掃除機構を備えるものが開示されている（例えば特許文献１参照）。フィルタ掃除機構は、例えば、エアフィルタに接触して回転する回転ブラシ、及び回転ブラシを回転させながらエアフィルタの表面に沿って移動させる電動モータ等により構成される。
【０００４】
大きな映像を表示可能な投写型映像表示装置は、デジタルサイネージ等において多数の視聴者に映像コンテンツを提示する際に、天井や壁等に設けて有効に活用できる。このようなとき、フィルタ掃除機構を備える投写型映像表示装置においては、投写型映像表示装置が手の届きにくい場所に設けられている場合であっても、エアフィルタの目詰まりを容易に解消することができる。
【先行技術文献】
【特許文献】
【０００５】
【特許文献１】特開２００７−１５６１８６号公報
【発明の概要】
【発明が解決しようとする課題】
【０００６】
ところが、フィルタ掃除機構を備える投写型映像表示装置においては、エアフィルタの掃除に伴って騒音が発生するという問題がある。例えば、回転ブラシを回転させるときに動作する電動モータに起因する音や、回転ブラシとエアフィルタとが接触して相対的に移動することに起因する音が発生する。このような場合、投写型映像表示装置の周囲に存在する視聴者による映像コンテンツの視聴が、エアフィルタの掃除に伴って発生する騒音により妨げられるおそれがある。
【０００７】
本発明は上記問題を解決するためになされたものであり、その目的は、視聴者の映像コンテンツの視聴を妨げないようにすることが可能な投写型映像表示装置を提供することにある。
【課題を解決するための手段】
【０００８】
以下、上記目的を達成するための手段及びその作用効果について記載する。
請求項１に記載の発明は、映像を表示するための光学部品を収納する筐体と、この筐体の内部へ流入しようとする塵埃を捕捉するエアフィルタと、このエアフィルタを掃除するフィルタ掃除機構とを備えた投写型映像表示装置であって、前記フィルタ掃除機構を制御する制御部を備え、前記制御部が、人の存在を検出する人感センサにより出力された検出結果に基づいて、前記フィルタ掃除機構を制御することを特徴とする。
【０００９】
上記発明によれば、フィルタ掃除機構を制御する制御部が、人の存在を検出する人感センサにより出力された検出結果に基づいて、エアフィルタを掃除するフィルタ掃除機構を制御する。このため、例えば、投写型映像表示装置の周囲に人が存在していることを人感センサで検出したときに、フィルタ掃除機構によるエアフィルタの掃除を禁止することにより、エアフィルタの掃除に伴う騒音を発生させないようにすることができる。また、例えば、投写型映像表示装置の周囲に人が存在していることを人感センサで検出したときに、フィルタ掃除機構によるエアフィルタの掃除を、人が存在していることを人感センサで検出していないときに比べて静かに行わせることにより、エアフィルタの掃除に伴う騒音を抑制することができる。よって、投写型映像表示装置の周囲に映像コンテンツの視聴者が存在している場合には、その視聴を妨げないようにすることが可能となる。
【００１０】
請求項２に記載の発明は、請求項１に記載の投写型映像表示装置において、前記筐体に前記人感センサを内蔵していることを特徴とする。
上記発明によれば、投写型映像表示装置の筐体に人感センサを内蔵しているため、投写型映像表示装置の筐体の外部に人感センサを設けずに、投写型映像表示装置の周囲に人が存在していることを検出することができる。
【００１１】
請求項３に記載の発明は、請求項１または２に記載の投写型映像表示装置において、前記制御部は、前記人感センサにより人の存在を検出したときに、前記フィルタ掃除機構による前記エアフィルタの掃除を禁止することを特徴とする。
【００１２】
上記発明によれば、制御部は、人感センサにより人の存在を検出したときに、フィルタ掃除機構によるエアフィルタの掃除を禁止するため、エアフィルタの掃除に伴う騒音を発生させないようにすることによって、映像コンテンツの視聴を妨げないようにすることを確実に行うことができる。
【００１３】
請求項４に記載の発明は、請求項３に記載の投写型映像表示装置において、前記エアフィルタの目詰まりを検出する目詰まり検出部を備え、前記制御部は、前記目詰まり検出部により前記エアフィルタの目詰まりを検出したとき、かつ、前記人感センサにより人の存在を検出したときに、前記フィルタ掃除機構による前記エアフィルタの掃除を一定時間禁止することを特徴とする。
【００１４】
上記発明によれば、制御部は、目詰まり検出部によりエアフィルタの目詰まりを検出したとき、かつ、人感センサにより人の存在を検出したときに、フィルタ掃除機構によるエアフィルタの掃除を一定時間禁止する。このため、エアフィルタの目詰まりが検出されたときであっても、直ちにエアフィルタの掃除がされないため、エアフィルタの目詰まりを解消することに比べて、映像コンテンツの視聴を妨げないことを優先することができる。
【００１５】
請求項５に記載の発明は、請求項１または２に記載の投写型映像表示装置において、前記人感センサにより人の存在を検出していないときの前記フィルタ掃除機構による前記エアフィルタの掃除態様を通常掃除モードとし、前記フィルタ掃除機構が前記通常掃除モードに比べて静かに前記エアフィルタを掃除する掃除態様を静音掃除モードとしたとき、前記制御部は、前記人感センサにより人の存在を検出したときに、前記静音掃除モードで前記フィルタ掃除機構に前記エアフィルタを掃除させることを特徴とする。
【００１６】
上記発明によれば、制御部は、人感センサにより人の存在を検出したときに、静音掃除モードでフィルタ掃除機構にエアフィルタを掃除させる。即ち、制御部は、フィルタ掃除機構によるエアフィルタの掃除を、人が存在していることを人感センサで検出していないときに比べて静かに行わせる。このため、エアフィルタを掃除しながらも映像コンテンツの視聴を妨げないようにすることができる。
【発明の効果】
【００１７】
本発明によれば、投写型映像表示装置の周囲に映像コンテンツの視聴者が存在している場合には、その視聴を妨げないようにすることが可能となる。
【図面の簡単な説明】
【００１８】
【図１】本発明の一実施形態に係る投写型映像表示装置を示す斜視図。
【図２】同実施形態の投写型映像表示装置が備えるエアフィルタ装置の斜視図。
【図３】同実施形態の投写型映像表示装置の概略構成を示す構成図。
【図４】同実施形態の投写型映像表示装置が実行する「クリーニング処理」の動作の流れを示すフローチャート。
【図５】変形例に係る投写型映像表示装置が実行する「クリーニング処理」の動作の流れを示すフローチャート。
【発明を実施するための形態】
【００１９】
以下、本発明の一実施形態について図面を参照しながら説明する。
図１に示すように、本実施形態に係る投写型映像表示装置は、映像信号に基づいて映像を表示するビデオプロジェクタ１（以下、「プロジェクタ１」）である。プロジェクタ１は、液晶パネル（図示略）を用いて生成された映像の光を、投射部２３を用いて投射する液晶プロジェクタである。
【００２０】
プロジェクタ１は、映像を表示するための光学部品及び電子部品を収納する筐体１０を備えている。筐体１０は、プロジェクタ１を水平面（図示略）に設置したときに、その水平面と対向する底面１１を有している。底面１１には、筐体１０の外部から内部へ空気を吸い込むための長方形状の吸気口１２が設けられている。なお、吸気口１２には、空気中の塵埃よりも大きな異物が筐体１０内に侵入することを抑制するために、格子（不図示）が設けられていることが好ましい。
【００２１】
また、プロジェクタ１は、空気中の塵埃を捕捉するエアフィルタ３２を有するエアフィルタ装置３を備えている。エアフィルタ装置３は、プロジェクタ１に対して着脱可能であって、図１はエアフィルタ装置３がプロジェクタ１に装着されている状態を示している。エアフィルタ装置３がプロジェクタ１に装着されている状態においては、吸気口１２はエアフィルタ３２により覆われている。プロジェクタ１に装着されているエアフィルタ装置３は、前方にスライドさせることによりプロジェクタ１から脱着可能に構成されている。
【００２２】
図２は、図１に示す状態のプロジェクタ１から脱着させたエアフィルタ装置３を示す図である。以下、筐体１０の内部へ向かう方向を内方とするとともに、この内方と反対側の方向であって筐体１０の外部へ向かう方向を外方とする。
【００２３】
エアフィルタ装置３は、樹脂材料からなる基材３１を備えている。基材３１には、吸気口１２と同様に長方形状の開口が形成されるとともに、この開口を覆うようにエアフィルタ３２が基材３１に設けられている。塵埃を捕捉するエアフィルタ３２は、格子状に形成された枠部材３２Ａに接着または融着されて設けられている。枠部材３２Ａが基材３１にねじ止めされることによって、エアフィルタ３２は基材３１に対して固定されている。
【００２４】
また、基材３１におけるエアフィルタ３２を挟む位置には、一対のラック３３がねじ止めにより固定されて設けられている。ラック３３は、直線状に形成されるとともに外方に向けられた歯を有している。また、基材３１の前側端部には、エアフィルタ装置３がプロジェクタ１に装着されたときに、プロジェクタ１が備えるコネクタ（図示略）と接続されるコネクタ３４が設けられている。
【００２５】
また、エアフィルタ装置３は、エアフィルタ３２を掃除するフィルタ掃除機構４を備えている。略直方体状のフィルタ掃除機構４は、図２に示す待機位置からラック３３が延びる方向に沿って移動して、エアフィルタ３２を掃除する。待機位置は、外方及び内方から見て吸気口１２とフィルタ掃除機構４とが重ならない位置である。
【００２６】
図３を参照して、プロジェクタ１の内部構成及びフィルタ掃除機構４の構成についてより詳しく説明する。
プロジェクタ１は、映像を表示するための光学部品として、映像表示用の光源であるランプ２１と、ランプ２１が発した光を用いて映像を生成する映像生成部２２と、生成された映像の光を投射する投射部２３とを備えている。
【００２７】
ランプ２１は、白色光を発する放電ランプである。ランプ２１は、例えば超高圧水銀ランプやメタルハライドランプである。ランプ２１は、ランプ電源部５１からの電力供給を受けて光を発する。ランプ２１が発する光は、映像生成部２２に入射する。
【００２８】
映像生成部２２は、ドットマトリクス型のライトバルブである液晶パネルを備えた電気光学装置である。映像生成部２２には映像信号が入力され、この映像信号に基づいて液晶パネルが駆動される。そして、ランプ２１から映像生成部２２に入射した光が、液晶パネルを透過することによって、映像信号に基づいた映像が生成される。
【００２９】
投射部２３は、映像生成部２２により生成された映像の光を投射するレンズ群を有したレンズ装置により構成されている。投射部２３は、プロジェクタ１の外部に向けて光を投射する。映像の光が投射されることにより、プロジェクタ１はスクリーンや壁等の平面上に映像を表示する。このようにして、プロジェクタ１は、視聴者に映像コンテンツを提示する。
【００３０】
また、プロジェクタ１は、プロジェクタ１の外部から映像信号が入力される映像信号入力部２４と、映像信号に対して信号処理を施す映像信号処理部２５と、吸気口１２を通して筐体１０の外部から内部に空気を吸入する吸気ファン２６と、エアフィルタ３２の目詰まりを検出する目詰まり検出部２７とを備えている。
【００３１】
映像信号入力部２４は、映像ケーブル（不図示）が接続される映像信号入力端子により構成されている。プロジェクタ１には、映像信号入力部２４を介して、ＰＣ（Personal Computer）または映像再生装置等の外部機器から映像信号が入力される。そして、プロジェクタ１に入力された映像信号に対して、映像信号処理部２５でスケーリング処理等の信号処理が施されて、信号処理が施された映像信号が、映像生成部２２に入力される。なお、映像信号入力部２４は、無線により送信された映像信号を受信する無線モジュールにより構成されていてもよい。
【００３２】
吸気ファン２６は、吸気口１２及びエアフィルタ３２を通して筐体１０内に吸入するとともに、筐体１０の内部に吸入した空気をランプ２１及び映像生成部２２及びランプ電源部５１等の高温となる部品に送風する送風機である。
【００３３】
目詰まり検出部２７は、エアフィルタ３２に目詰まりが生じたことを検出するセンサである。目詰まり検出部２７は、例えば、エアフィルタ３２を通過した空気の風量を検出する風量センサにより構成されている。目詰まり検出部２７は、エアフィルタ３２の目詰まりの度合いを示す目詰まり検出結果を制御部５３に出力する。
【００３４】
フィルタ掃除機構４は、直方体状のケース４１と、電動モータ４２と、電動モータ４２により駆動させられる駆動軸４３と、ラック３３と噛み合いながら駆動軸４３とともに回転するピニオン４４と、駆動軸４３の回転が伝達される回転ブラシ４５と、塵埃を溜めるダストボックス４６とを備えている。
【００３５】
ケース４１は、電動モータ４２と駆動軸４３と回転ブラシ４５とを収容している。ケース４１の内部は、ダストボックス４６により覆われている。また、ピニオン４４は、ケース４１外に設けられている。
【００３６】
電動モータ４２は、回転ブラシ４５を回転させながらフィルタ掃除機構４をエアフィルタ３２の表面に沿って移動させる動力源である。電動モータ４２には、プロジェクタ１に設けられている電源回路（図示略）から電力供給を受ける。
【００３７】
駆動軸４３は、電動モータ４２の出力をピニオン４４及び回転ブラシ４５に伝達する。駆動軸４３が回転することによって、駆動軸４３の両端に設けられたピニオン４４が回転するとともに、回転ブラシ４５が回転する。
【００３８】
ピニオン４４はラック３３に噛み合うギアであって、ピニオン４４が回転することによりフィルタ掃除機構４がラック３３に沿って移動する。駆動軸４３の回転方向を反転させることにより、フィルタ掃除機構４は往復移動する。
【００３９】
回転ブラシ４５は、エアフィルタ３２の表面に沿って移動する。回転ブラシ４５は、エアフィルタ３２に当接しながら移動することにより、エアフィルタ３２を掃除する。回転ブラシ４５は、エアフィルタ３２に捕捉されていた塵埃を、ダストボックス４６に運搬する。
【００４０】
フィルタ掃除機構４の位置は、基材３１に設けられている位置検出センサ３５Ａ，３５Ｂにより検出される。位置検出センサ３５Ａは、フィルタ掃除機構４が待機位置に存在することを検出する。また、位置検出センサ３５Ｂは、ラック３３に沿って移動するフィルタ掃除機構４が折り返す位置に存在することを検出する。位置検出センサ３５Ａ，３５Ｂは、フィルタ掃除機構４の位置を示す位置検出結果を制御部５３に出力する。
【００４１】
また、プロジェクタ１は、ランプ２１用の電源回路を備えるランプ電源部５１と、電動モータ４２用の駆動回路を備えるモータ駆動部５２と、各部を制御する制御部５３と、ユーザにより操作される操作部５４と、情報を記憶する記憶部５５と、時間を計測する計時部５６とを備えている。
【００４２】
ランプ電源部５１は、ランプ２１を点灯させるための回路を備えた点灯装置により構成されている。ランプ電源部５１は、制御部５３から入力される制御信号に基づき、プロジェクタ１が備える電源回路（図示略）からランプ電源部５１に供給された電力を、ランプ２１の点灯に必要な電力に変換してランプ２１に供給する。
【００４３】
モータ駆動部５２は、フィルタ掃除機構４の電動モータ４２を駆動するモータドライバにより構成されている。モータ駆動部５２は、エアフィルタ装置３がプロジェクタ１に装着されることにより、コネクタ３４を介して電動モータ４２に接続される。モータ駆動部５２は、制御部５３から入力される制御信号に基づいて、プロジェクタ１が備える電源回路（図示略）からモータ駆動部５２に供給された電力を適宜変換して電動モータ４２に供給する。
【００４４】
制御部５３は、映像信号処理部２５の制御、吸気ファン２６の制御、ランプ電源部５１の制御、モータ駆動部５２の制御等を行う集積回路により構成されている。制御部５３は、映像を表示するためにランプ２１を点灯させる制御信号をランプ電源部５１に出力する。また、制御部５３は、ランプ２１を冷却するために吸気ファン２６を駆動させる制御信号を吸気ファン２６に出力する。
【００４５】
さらに、制御部５３は、エアフィルタ３２を掃除するために、フィルタ掃除機構４の電動モータ４２を駆動させる制御信号をモータ駆動部５２に出力する。制御部５３は、目詰まり検出部２７により出力された目詰まり検出結果に基づいて、エアフィルタ３２の目詰まり度合いが所定以上であることが検出されたとき、電動モータ４２を駆動させる制御信号を出力する。
【００４６】
また、制御部５３は、エアフィルタ装置３がプロジェクタ１に装着されることにより、コネクタ３４を介して位置検出センサ３５Ａ，３５Ｂに接続される。制御部５３は、位置検出センサ３５Ａ，３５Ｂによる出力された位置検出結果に基づいて、フィルタ掃除機構４の駆動を制御する。制御部５３は、待機位置から移動したフィルタ掃除機構４が折り返し位置に到達したことを位置検出センサ３５Ｂにより検出したとき、電動モータ４２を逆回転させる制御信号をモータ駆動部５２に出力して、フィルタ掃除機構４を往復移動させる。また、制御部５３は、往復移動するフィルタ掃除機構４が待機位置に到達したことを位置検出センサ３５Ａにより検出したとき、電動モータ４２の駆動を停止させる制御信号をモータ駆動部５２に出力して、フィルタ掃除機構４の移動を停止させる。
【００４７】
操作部５４は、プロジェクタ１のユーザによって操作される押しボタン等のマンマシンインタフェースにより構成されている。この操作部５４が操作されることによって、映像を表示させる指示、及びエアフィルタ３２を掃除させる指示がユーザにより制御部５３に入力される。
【００４８】
記憶部５５は、プログラム等の情報を記憶するメモリにより構成されている。記憶部５５には、制御部５３が実行するプログラムとして「クリーニング処理」のプログラムが記憶されている。
【００４９】
計時部５６は、時間を計測するタイマにより構成されている。計時部５６は、エアフィルタ３２の累積使用時間を計測し、エアフィルタ３２の使用時間を示す計測結果を制御部５３に出力する。
【００５０】
また、本実施形態のプロジェクタ１は、人感センサ６１を備えている。人感センサ６１は、筐体１０に内蔵されている。人感センサ６１は、プロジェクタ１の周囲の人の存在を検出するセンサであって、例えば、赤外線センサにより構成されている。人感センサ６１は、プロジェクタ１の周囲の人の存在を示す人検出結果を制御部５３に出力する。
【００５１】
図４を参照して、プロジェクタ１が実行する「クリーニング処理」について説明する。クリーニング処理は、プロジェクタ１の使用中において繰り返し実行される。
まず、制御部５３が、目詰まり検出部２７により出力された目詰まり検出結果に基づいて、目詰まりを検出したか否かを判断する（ステップＳ１）。目詰まり検出結果が、所定以上の目詰まりを示しているときには、目詰まりを検出したと判断される。目詰まりを検出したと判断されない場合には、ステップＳ１が繰り返し行われる。
【００５２】
目詰まりを検出したとステップＳ１で判断された場合、制御部５３が、人感センサ６１により出力された人検出結果に基づいて、プロジェクタ１の周囲における人の存在を検出しているか否かを判断する（ステップＳ２）。人の存在を検出していると判断される場合には、ステップＳ２が繰り返し行われる。
【００５３】
目詰まりを検出したとステップＳ１で判断され、かつ、周囲の人の存在を検出しているとステップＳ２で判断されなかった場合、制御部５３がフィルタ掃除機構４を駆動させて、フィルタ掃除機構４がエアフィルタ３２の掃除を開始する（ステップＳ３）。エアフィルタ３２を掃除しているときには、モータ駆動部５２から電動モータ４２に電力が供給され続けられる。
【００５４】
エアフィルタ３２の掃除開始後、制御部５３は、位置検出センサ３５Ａ，３５Ｂにより出力された位置検出結果に基づいて、エアフィルタ３２の掃除が完了したか否かを判断する（ステップＳ４）。即ち、待機位置から移動したフィルタ掃除機構４が、折り返し位置で折り返して、待機位置まで往復移動したか否かが判断される。このようにフィルタ掃除機構４が待機位置から折り返し位置までの間を往復移動したと判断されたとき、制御部５３は、エアフィルタ３２の掃除が完了したと判断する。
【００５５】
エアフィルタ３２の掃除が完了したとステップＳ４で判断された場合、制御部５３がフィルタ掃除機構４の駆動を停止させて、エアフィルタ３２の掃除を完了する（ステップＳ５）。
【００５６】
一方、エアフィルタ３２の掃除が完了したとステップＳ４で判断されなかった場合、制御部５３が、人感センサ６１により出力された人検出結果に基づいて、プロジェクタ１の周囲における人の存在を検出しているか否かを判断する（ステップＳ６）。人の存在を検出していると判断されなかった場合には、ステップＳ４以降が繰り返し行われる。
【００５７】
周囲の人の存在を検出していると、エアフィルタ３２の掃除中であるステップＳ６で判断された場合には、制御部５３が、フィルタ掃除機構４の駆動を停止させて、エアフィルタ３２の掃除を一時停止する（ステップＳ７）。そして、ステップＳ２以降が繰り返し行われる。即ち、周囲の人の存在を検出しているとステップＳ２で判断されなかった場合には、ステップＳ７で一時停止されたエアフィルタ３２の掃除が、ステップＳ３で再開される。
【００５８】
本発明のプロジェクタ１の作用について説明する。
上記クリーニング処理を実行することにより、プロジェクタ１は、目詰まり検出部２７によりエアフィルタ３２の目詰まりを検出したとき、かつ、人感センサ６１により人の存在を検出しなかったときには、制御部５３はフィルタ掃除機構４を駆動させ、エアフィルタ３２が掃除される。
【００５９】
また、プロジェクタ１は、目詰まり検出部２７によりエアフィルタ３２の目詰まりを検出したとき、かつ、人感センサ６１により人の存在を検出しなかったときには、人の存在が検出されなくなるまでの一定時間、フィルタ掃除機構４によるエアフィルタ３２の掃除が禁止される。
【００６０】
本実施形態のプロジェクタ１によれば、以下の作用効果を得ることができる。
（１）エアフィルタ装置３が装着されているプロジェクタ１は、エアフィルタ３２と、エアフィルタ３２を掃除するフィルタ掃除機構４と、フィルタ掃除機構４を制御する制御部５３とを備えている。そして、制御部５３が、人の存在を検出する人感センサ６１により出力された検出結果に基づいて、フィルタ掃除機構４を制御する。このため、プロジェクタ１の周囲に人が存在していることを人感センサ６１で検出したときに、フィルタ掃除機構４によるエアフィルタ３２の掃除を禁止することにより、エアフィルタ３２の掃除に伴う騒音を発生させないようにすることができる。よって、プロジェクタ１の周囲に映像コンテンツの視聴者が存在している場合には、その視聴を妨げないようにすることが可能となる。
【００６１】
（２）プロジェクタ１の筐体１０に人感センサ６１を内蔵している。このため、プロジェクタ１の筐体１０の外部に人感センサ６１を設けずに、プロジェクタ１の周囲に人が存在していることを検出することができる。
【００６２】
（３）制御部５３は、人感センサ６１により人の存在を検出したときに、フィルタ掃除機構４によるエアフィルタ３２の掃除を禁止する。このため、エアフィルタ３２の掃除に伴う騒音を発生させないようにすることによって、映像コンテンツの視聴を妨げないようにすることを確実に行うことができる。
【００６３】
（４）プロジェクタ１は、エアフィルタ３２の目詰まりを検出する目詰まり検出部２７を備え、制御部５３は、目詰まり検出部２７によりエアフィルタ３２の目詰まりを検出したとき、かつ、人感センサ６１により人の存在を検出したときに、フィルタ掃除機構４によるエアフィルタ３２の掃除を一定時間禁止する。このため、エアフィルタ３２の目詰まりが検出されたときであっても、直ちにエアフィルタ３２の掃除がされないため、エアフィルタ３２の目詰まりを解消することに比べて、映像コンテンツの視聴を妨げないことを優先することができる。
【００６４】
なお、本発明は、上記実施形態に限られず、本発明の趣旨に基づいて種々の設計変更をすることが可能であって、それらを本発明の範囲から除外するものではない。例えば、上記実施形態を以下のように変更してもよく、以下の変更を組み合わせて実施してもよい。
【００６５】
・上記実施形態では、人感センサ６１により人の存在を検出したときに、フィルタ掃除機構４によるエアフィルタ３２の掃除を禁止する構成であるが、フィルタ掃除機構４を駆動させながらも上記（１）の効果を得ることもできる。人感センサ６１により人の存在を検出したときにもフィルタ掃除機構４を駆動させる変形例（以下、第１変形例）を、図５を参照しながら説明する。図５は、第１変形例のプロジェクタが実行する「クリーニング処理」の流れを示している。
【００６６】
第１変形例に係るプロジェクタ１は、通常掃除モードまたは静音掃除モードでエアフィルタ３２を掃除する。通常掃除モード及び静音掃除モードは、フィルタ掃除機構４によるエアフィルタ３２の掃除態様であって、次のように定義される。
「通常掃除モード」：エアフィルタ３２の掃除を短時間で確実に完了するために、静音掃除モードに比べて、フィルタ掃除機構４を速く移動させ、かつ、回転ブラシ４５の回転を速くして、エアフィルタ３２を掃除する態様。
「静音掃除モード」：エアフィルタ３２の掃除に伴う騒音の発生を抑制するために、通常掃除モードに比べて、フィルタ掃除機構４を遅く移動させ、かつ、回転ブラシ４５の回転を遅くして、エアフィルタ３２を掃除する態様。
【００６７】
図５を参照して、第１変形例のプロジェクタ１が実行する「クリーニング処理」について説明する。
まず、制御部５３が、ステップＳ１と同様に、目詰まり検出部２７により出力された目詰まり検出結果に基づいて、目詰まりを検出したか否かを判断する（ステップＳ１１）。目詰まりを検出したと判断されない場合には、ステップＳ１１が繰り返し行われる。
【００６８】
目詰まりを検出したとステップＳ１１で判断された場合、制御部５３が、ステップＳ２と同様に、プロジェクタ１の周囲における人の存在を検出しているか否かを判断する（ステップＳ１２）。
【００６９】
目詰まりを検出したとステップＳ１１で判断され、かつ、周囲の人の存在を検出しているとステップＳ１２で判断されなかった場合、制御部５３がフィルタ掃除機構４を駆動させて、通常掃除モードでフィルタ掃除機構４がエアフィルタ３２の掃除を開始する（ステップＳ１３）。
【００７０】
一方、目詰まりを検出したとステップＳ１１で判断され、かつ、周囲の人の存在を検出しているとステップＳ１２で判断された場合、制御部５３がフィルタ掃除機構４を駆動させて、静音掃除モードでフィルタ掃除機構４がエアフィルタ３２の掃除を開始する（ステップＳ１４）。
【００７１】
そして、エアフィルタ３２の掃除開始後、制御部５３は、ステップＳ４と同様に、エアフィルタ３２の掃除が完了したか否かを判断する（ステップＳ１５）。エアフィルタ３２の掃除が完了したと判断されない場合には、ステップＳ１５が繰り返し行われる。
【００７２】
エアフィルタ３２の掃除が完了したとステップＳ１５で判断された場合、制御部５３がフィルタ掃除機構４の駆動を停止させて、エアフィルタ３２の掃除を完了する（ステップＳ１６）。
【００７３】
上記変形例においては、プロジェクタ１の周囲に人が存在していることを人感センサ６１で検出したときに、フィルタ掃除機構４によるエアフィルタ３２の掃除を、人が存在していることを人感センサ６１で検出していないときに比べて静かに行わせることにより、エアフィルタ３２の掃除に伴う騒音を抑制することができる。よって、上記実施形態と同様に、プロジェクタ１の周囲に映像コンテンツの視聴者が存在している場合には、その視聴を妨げないようにすることが可能となる。
【００７４】
また、上記変形例によれば、制御部５３は、人感センサ６１により人の存在を検出したときに、静音掃除モードでフィルタ掃除機構４にエアフィルタ３２を掃除させる。このため、エアフィルタ３２を掃除しながらも映像コンテンツの視聴を妨げないようにすることができる。
【００７５】
・上記変形例では、エアフィルタ３２の掃除が開始されてから完了するまでの間、通常掃除モード及び静音掃除モードの一方でエアフィルタ３２が掃除されるが、エアフィルタ３２の掃除が開始されてから完了するまでの間に、人感センサ６１による周囲の人の検出結果に応じて、通常掃除モードと静音掃除モードとを切り替えることもできる。
【００７６】
・上記実施形態及び第１変形例では、目詰まり検出部２７によりエアフィルタ３２の目詰まりを検出したときにエアフィルタ３２が掃除される構成であるが、ユーザにより、エアフィルタ３２を掃除させる指示が操作部５４を用いて制御部５３に入力されたときに、エアフィルタ３２が掃除される構成を採用することもできる。即ち、ステップＳ１及びステップＳ１１において、制御部５３が、エアフィルタ３２を掃除させる指示が操作部５４を用いて入力されたか否かを判断して、エアフィルタ３２を掃除させる指示が操作部５４を用いて入力されたと判断されたときに、ステップＳ２及びステップＳ１２が行われる構成を採用することもできる。この場合、プロジェクタ１は、操作部５４によりエアフィルタ３２を掃除する指示が入力されたとき、かつ、人感センサ６１により人の存在を検出しなかったときに、制御部５３はフィルタ掃除機構４を駆動させ、エアフィルタ３２が掃除される。
【００７７】
・上記実施形態及び第１変形例では、目詰まり検出部２７によりエアフィルタ３２の目詰まりを検出したときにエアフィルタ３２が掃除される構成であるが、エアフィルタ３２の使用時間が所定時間を超えたときに、エアフィルタ３２が掃除される構成を採用することもできる。即ち、ステップＳ１及びステップＳ１１において、制御部５３が、計時部５６による計測結果に基づいてエアフィルタ３２の使用時間が所定時間を超えたか否かを判断して、エアフィルタ３２の使用時間が所定時間を超えたと判断されたときに、ステップＳ２及びステップＳ１２が行われる構成を採用することもできる。この場合、計時部５６により出力された計測結果が所定時間を超えていることを示しているとき、かつ、人感センサ６１により人の存在を検出しなかったときに、制御部５３はフィルタ掃除機構４を駆動させ、エアフィルタ３２が掃除される。
【００７８】
・上記実施形態では、筐体１０に人感センサ６１を内蔵しているが、プロジェクタ１の外部に人感センサ６１を設けることもできる。即ち、制御部５３は、プロジェクタ１の外部から入力される人感センサ６１の検出結果に基づいて、フィルタ掃除機構４を制御することもできる。
【００７９】
・上記実施形態では、本発明を液晶プロジェクタに適用しているが、液晶プロジェクタ以外の投写型映像表示装置に本発明を適用することもできる。即ち、上記実施形態では、映像生成部２２は、液晶パネルを備えた電気光学装置であるが、例えば、微小鏡を格子状に配列したＤＭＤ（Digital Micromirror Device）を備えた電気光学装置により映像生成部２２を構成することもできる。この場合、映像生成部２２に入力された映像信号に基づいてＤＭＤが駆動され、そして、ランプ２１から映像生成部２２に入射した光が、ＤＭＤで反射されることによって、映像信号に基づいた映像が生成される。
【符号の説明】
【００８０】
１…ビデオプロジェクタ（投写型映像表示装置）、３…エアフィルタ装置、４…フィルタ掃除機構、１０…筐体、１１…底面、１２…吸気口、２１…ランプ、２２…映像生成部、２３…投射部、２４…映像信号入力部、２５…映像信号処理部、２６…吸気ファン、２７…目詰まり検出部、３１…基材、３２…エアフィルタ、３２Ａ…枠部材、３３…ラック、３４…コネクタ、３５Ａ，３５Ｂ…位置検出センサ、４１…ケース、４２…電動モータ、４３…駆動軸、４４…ピニオン、４５…回転ブラシ、４６…ダストボックス、５１…ランプ電源部、５２…モータ駆動部、５３…制御部、５４…操作部、５５…記憶部、５６…計時部、６１…人感センサ。
【図１】
2013007973.tif 000003
【図２】
2013007973.tif 000004
【図３】
2013007973.tif 000005
【図４】
2013007973.tif 000006
【図５】
2013007973.tif 000007